(57)【要約】【課題】通信を行う機器の設定を容易に行うことができる機器間通信システムを提供する。【解決手段】建物１０の玄関ドア１１、裏口ドア１２及び窓サッシ１３には施解錠装置２１〜２３が設けられている。車両４１のドアには施解錠装置４３が設けられている。施解錠管理モニタ３１は、これらのドアや窓サッシうち監視対象のドアや窓サッシの施解錠装置との通信により監視対象の施解錠を監視する。施解錠管理モニタ３１及び施解錠装置２１〜２３，４３は電子キー１８との狭域無線通信が可能である。施解錠管理モニタ３１において、監視対象に追加又は除外したいドアや窓サッシ（操作対象）の施解錠装置と電子キー１８との狭域無線通信を行い、続いて施解錠管理モニタ３１と電子キー１８との狭域無線通信を行うことで、操作対象が監視対象でない場合は当該操作対象が監視対象へ追加され、操作対象が監視対象である場合は当該操作対象が監視対象から除外される。【選択図】図１
2009218896.tif 000002
【特許請求の範囲】
【請求項１】
通信機能を有する複数の機器の間で互いに通信を行う機器間通信システムであって、
各機器との近距離通信可能な移動体通信機を備え、
前記複数の機器のうち第１の機器と第２の機器との間での通信が不可となる通信不可設定にある場合、前記移動体通信機が前記第１の機器及び前記第２の機器にて近距離通信を行うことにより、前記第１の機器と前記第２の機器との間での通信が可能となる通信可能設定に切り替えられ、
前記第１の機器と前記第２の機器とが互いの通信可能設定にある場合、前記移動体通信機が前記第１の機器及び前記第２の機器にて近距離通信を行うことにより、前記第１の機器と前記第２の機器とが互いの通信不可設定に切り替えられることを特徴とする機器間通信システム。
【請求項２】
前記第１の機器は固有の機器情報を記憶しており、
前記移動体通信機は、前記第１の機器との近距離通信により前記機器情報を取得する取得手段と、前記第２の機器との近距離通信により前記取得手段により取得された機器情報を当該第２の機器へ通知する通知手段と、を有する請求項１に記載の機器間通信システム。
【請求項３】
前記第１の機器は、前記移動体通信機との間で近距離通信を行った後、前記複数の機器による通信要求を受け付ける通信受付状態へ遷移する請求項１又は２に記載の機器間通信システム。
【請求項４】
前記移動体通信機は、前記第１の機器が前記通信受付状態へ遷移した場合、前記第１の機器を含む機器間の通信設定を切り替え可能な設定切替状態へ遷移する請求項３に記載の機器間通信システム。
【請求項５】
前記第１の機器と前記第２の機器との間の通信設定が前記通信可能設定に切り替えられると、両機器間の通信に必要な情報である通信取決を両機器に対し設定する設定手段を備えている請求項１乃至４のいずれか一項に記載の機器間通信システム。
【請求項６】
前記移動体通信機は固有の移動体情報を記憶しており、
前記移動体通信機との近距離通信により前記移動体情報を取得し、当該移動体情報に基づいて前記移動体通信機を識別する識別手段を備え、
前記設定手段は、前記識別手段による前記移動体通信機の識別結果に応じて、前記通信取決を設定する請求項５に記載の機器間通信システム。
【請求項７】
前記移動体通信機は固有の移動体情報を記憶しており、
前記移動体通信機との近距離通信により前記移動体情報を取得し、当該移動体情報に基づいて前記移動体通信機を識別する識別手段と、
前記識別手段による前記移動体通信機の識別結果に応じて、前記第１の機器と前記第２の機器との間の前記通信設定の切替を許可又は禁止する制限手段と、
を備えている請求項１乃至６のいずれか一項に記載の機器間通信システム。
【請求項８】
請求項１乃至７のいずれか一項に記載の機器間通信システムのうち、前記移動体通信機は居住者によって携帯される一方、前記移動体通信機以外のものは住宅設備として備えられていることを特徴とする住宅。
【発明の詳細な説明】
【技術分野】
【０００１】
本発明は、機器間通信システムに関する。
【背景技術】
【０００２】
従来から、建物のドアや窓サッシ用の施解錠装置による施解錠を監視することにより建物の防犯性を高める防犯システムや、建物内に設置された電化製品への待機電力の供給を監視し適宜遮断することにより待機電力を削減する待機電力管理システムなど、複数の管理対象機器とそれらの機器を管理する管理機器との機器間で互いに通信を行う機器間通信システムが知られている。
【０００３】
このような機器間通信システムでは、全管理対象機器から一部の機器を選択し、選択した管理対象機器を監視対象へ追加することや、逆に選択した管理対象機器を監視対象から除外することが考えられる。例えば、上述した防犯システムでは、建物の一部のドアや窓サッシを選択して、選択したドアや窓サッシ用の施解錠装置を監視対象に追加又は除外することが考えられる。また、上述した待機電力管理システムでは、建物内の一部の電化製品を選択して、選択した電化製品を待機電力の監視対象に追加又は除外することが考えられる。
【０００４】
一方、上述の如く全管理対象機器から一部の機器を選択する方法としては、全管理対象機器の一覧をリスト表示し、そのリスト表示に基づいて一部の機器を選択させる方法が知られている。例えば、特許文献１，２に記載の発明では、管理機器に接続された全管理対象機器からメーカ名や機種名を取得し、それらの一覧をリスト表示し、そのリスト表示に基づいて管理対象機器を選択させている。
【特許文献１】特開２０００−３２４４７２号公報
【特許文献２】特開２００１−８１４６号公報
【発明の開示】
【発明が解決しようとする課題】
【０００５】
しかしながら、特許文献１，２に記載の発明では、全管理対象機器のリスト表示から一部の管理対象機器に対応するリスト項目を見つけ出し、さらに見つけ出したリスト項目を選択する一連の作業が煩雑である。特に、管理対象機器がメーカ名や機種名では判別できない場合には、管理対象機器の名称と順列の有る数字や記号、文字とからなる名称がリスト名として付されることが考えられる。例えば、上述した防犯システムでは、窓サッシ用の施解錠装置には「窓サッシ１，窓サッシ２，…」や「窓サッシＡ，窓サッシＢ，…」などの名称がリスト名として付されることが考えられる。この場合、実際の管理対象機器とリスト名との対応関係が分かりにくく、上記管理対象機器の選択作業が一層煩雑なものとなる。
【０００６】
本発明は、通信を行う機器の設定を容易に行うことができる機器間通信システムを提供することを主たる目的とするものである。
【課題を解決するための手段】
【０００７】
本発明は、上記課題を解決するために、以下の手段を採用した。
【０００８】
本発明は、通信機能を有する複数の機器の間で互いに通信を行う機器間通信システムである。このような機器間通信システムでは、複数の機器のうち第１の機器と第２の機器との間での通信が不可となる通信不可設定及び第１の機器と第２の機器との間での通信が可能となる通信可能設定のいずれかの設定を行うことが考えられる。この設定方法としては、上述の如くリスト表示に基づいて機器を選択させ、選択した機器の設定を切り替えることが考えられるが、上記選択作業は煩雑である。
【０００９】
これに対して、第１の機器や第２の機器についてそれらの機器を想起しやすいリスト名を登録し、例えば上述した防犯システムでは窓サッシ用の施解錠装置について「１階・リビング・南側・窓サッシ」や「２階・子供部屋・西側・窓サッシ」などのリスト名を登録し、登録したリスト名によって機器の一覧をリスト表示することが考えられる。また、第１の機器や第２の機器をグラフィカルに表示して、例えば上述した防犯システムにおいてドアや窓サッシの図形と共に建物の間取りを画面表示して、その表示に基づいて第１の機器や第２の機器を選択させる方法も考えられる。しかしながら、これらの場合、上記選択作業の煩雑さは幾分軽減されるものの、機器が多くなると、やはりその煩雑さは否めない。
【００１０】
そこで、第１の発明では、各機器との近距離通信可能な移動体通信機を備え、複数の機器のうち第１の機器と第２の機器との間での通信が不可となる通信不可設定にある場合、移動体通信機が第１の機器及び第２の機器にて近距離通信を行うことにより、第１の機器と第２の機器との間での通信が可能となる通信可能設定に切り替えられ、第１の機器と第２の機器とが互いの通信可能設定にある場合、移動体通信機が第１の機器及び第２の機器にて近距離通信を行うことにより、第１の機器と第２の機器とが互いの通信不可設定に切り替えられる。
【００１１】
この第１の発明によれば、第１の機器及び第２の機器の各機器に移動体通信機を近づけてこれらの機器と移動体通信機との近距離通信を行うことにより、第１の機器と第２の機器との間の通信設定が切り替わる。この場合、第１の機器及び第２の機器の各機器に移動体通信機を近づける行為と、当該第１の機器と当該第２の機器との間の通信設定が切り替わるという結果が直感的に結びつく。そのため、第１の機器と第２の機器との間の通信設定を容易に行うことができる。
【００１２】
第２の発明では、第１の発明において、第１の機器は固有の機器情報を記憶しており、移動体通信機は、第１の機器との近距離通信により当該第１の機器の機器情報を取得し、取得された機器情報を、第２の機器との近距離通信により当該第２の機器へ通知する。
【００１３】
この第２の発明によれば、第１の機器と第２の機器との通信によらず、移動体通信機の仲介によって第１の機器の機器情報が第２の機器へ通知される。そのため、第１の機器と第２の機器との間の通信が確立されていない場合であっても、通知された機器情報に基づいて第１の機器を識別し、識別された第１の機器と機器情報が通知された第２の機器との間の通信設定を行うことができる。
【００１４】
第３の発明では、第１の発明又は第２の発明において、第１の機器は、移動体通信機との間で近距離通信を行った後、複数の機器による通信要求を受け付ける通信受付状態へ遷移する。
【００１５】
この第３の発明によれば、第１の機器と移動体通信機との間で近距離通信が行われると、第１の機器の内部状態が通信受付状態へ自動的に遷移する。そのため、第１の機器と移動体通信機との間で近距離通信を行った後、第１の機器の内部状態を手動で通信受付状態へ遷移させる必要がない。これにより、第１の機器と第２の機器との間の通信設定を一層容易に行うことができる。
【００１６】
第４の発明では、第３の発明において、移動体通信機は、第１の機器が通信受付状態へ遷移した場合、第１の機器を含む機器間の通信設定を切り替え可能な設定切替状態へ遷移する。
【００１７】
この第４の発明では、第１の機器の内部状態が通信受付状態へ遷移すると、移動体通信機の内部状態が設定切替状態へ自動的に遷移する。そのため、第１の機器と移動体通信機との間で近距離通信を行った後、第１の機器の内部状態を手動で通信受付状態へ遷移させる必要がない上に、移動体通信機の内部状態を手動で設定切替状態へ遷移させる必要もない。これにより、第１の機器と第２の機器との間の通信設定をより一層容易に行うことができる。
【００１８】
第５の発明では、第１の発明から第４の発明のいずれかにおいて、第１の機器と第２の機器との間の通信設定が通信可能設定に切り替えられると、両機器間の通信に必要な情報である通信取決を両機器に対し設定する。
【００１９】
この第５の発明によれば、第１の機器と第２の機器との間の通信設定が通信可能設定に切り替えられると、両機器間の通信取決が両機器に対し設定される。この場合、第１の機器と第２の機器との間の通信設定が通信可能設定に切り替わった後、その通信設定の切替に伴って自動的に設定された通信取決に従って両機器間で通信が行われるため、両機器間の通信取決を手動で設定する必要がない。これにより、第１の機器と第２の機器との間の通信設定を一層容易に行うことができる。なお、通信取決には情報の送受信時期や情報の種別や情報の送受信順序が含まれる。
【００２０】
第６の発明では、第５の発明において、移動体通信機は固有の移動体情報を記憶しており、移動体通信機との近距離通信により移動体情報を取得し、当該移動体情報に基づいて移動体通信機を識別し、その識別結果に応じて第１の機器と第２の機器との間の通信取決を可変設定する。
【００２１】
この第６の発明によれば、移動体通信機に応じた通信取決が自動的に設定される。これにより、通信取決を手動で設定する必要がないため、第１の機器と第２の機器との間の通信設定をより一層容易に行うことができる。例えば、移動体通信機が複数備えられた機器間通信システムのうち、複数の移動体通信機は複数の居住者によってそれぞれ携帯される一方、移動体通信機以外のものは住宅設備として備えられている場合には、各居住者が自己に適した通信取決を設定することが考えられる。このような場合であっても、各居住者に応じた通信取決が自動的に設定されるため、各居住者は通信取決を手動で設定する必要がない。
【００２２】
第７の発明では、第１の発明から第６の発明のいずれかにおいて、移動体通信機は固有の移動体情報を記憶しており、移動体通信機との近距離通信により移動体情報を取得し、当該移動体情報に基づいて移動体通信機を識別し、その識別結果に応じて第１の機器と第２の機器との通信設定の切替を許可又は禁止する。
【００２３】
第７の発明によれば、移動体通信機による第１の機器と第２の機器との通信設定の切替に一定の制限を設けることが可能となる。これにより、故意や過失による通信設定の誤設定を抑制し、機器間通信システムの安全性の向上を図ることができる。
【００２４】
例えば、機器間通信システムのうち、移動体通信機は居住者によって携帯される一方、移動体通信機以外のものは住宅設備として備えられている場合には、居住者によって携帯される移動体通信機による通信設定の切替を許可し、それ以外の移動体通信機による通信設定の切替を禁止することが考えられる。これにより、居住者以外の者（不審者）が通信設定を故意に誤設定することを抑制し、機器間通信システムの安全性の向上を図ることができる。また、この場合、居住者のうち大人が携帯する移動体通信機による通信設定の切替を許可し、居住者のうち子供が携帯する移動体通信機による通信設定の切替を禁止することが考えられる。これにより、子供が通信設定を過失により誤設定することを抑制し、機器間通信システムの安全性の向上を図ることができる。
【００２５】
第８の発明は、第１の発明乃至第７の発明のいずれかの機器間通信システムのうち移動体通信機は居住者によって携帯される一方、移動体通信機以外のものは住宅設備として備えられている住宅である。
【００２６】
この場合、機器間の通信設定を行う者は居住者であり、機器間通信システムを扱う専門家ではない。専門家でない居住者にとって、機器間通信システムを構成する機器のリスト表示から通信設定を行う機器を見つけ出し、さらに見つけ出した機器を選択する操作は容易でない。また、この場合、機器間通信システムを構成する機器数が非常に多くなることが考えられる。例えば、上述した防犯システムでは、ドアや窓サッシの施解錠装置が機器間通信システムを構成する機器となるが、ドアや窓サッシは住宅に数多く設けられるため、それらの施解錠装置も当然に数多く設けられることとなる。また、上述した待機電力管理システムでは、電化製品が機器間通信システムを構成する機器となるが、電化製品は住宅に数多く備えられることが考えられる。このように非常に多くの機器から通信設定を行う機器をリスト表示に基づいて選択する上記操作を、居住者に対し強いるのは酷である。
【００２７】
この点、第８の発明によれば、住宅に備えられた機器間の通信設定を上述した直感的な操作で容易に行うことができる。
【発明を実施するための最良の形態】
【００２８】
以下に、一実施形態について図面を参照しつつ説明する。図１は建物の概略構成を示す図である。
【００２９】
建物１０には複数の開口部が設けられており、これらの開口部にはドアや窓サッシが設けられている。本実施形態では、建物１０に玄関ドア１１、裏口ドア１２及び窓サッシ１３が設けられており、これらの玄関ドア１１、裏口ドア１２及び窓サッシ１３には、それぞれ玄関ドア１１を施解錠する玄関ドア用の施解錠装置２１、裏口ドア１２を施解錠する裏口ドア用の施解錠装置２２及び窓サッシ１３を施解錠する窓サッシ用の施解錠装置２３が設けられている。なお、図１では窓サッシ１３及び窓サッシ用の施解錠装置２３を１つずつ図示されているが、建物１０にはこれらが複数設けられている。
【００３０】
建物１０内には、当該建物１０に備えられた複数の機器によりホームネットワークが構築されている。本実施形態では、施解錠装置２１〜２３、エアコン１５、エアコン用のコンセント装置２５、パソコン２６、風呂設備１７、建物１０のドアや窓サッシの施解錠を管理する施解錠管理モニタ３１、建物１０の待機電力を管理する待機電力管理モニタ３２、風呂設備１７を管理する風呂設備管理モニタ３３、各管理モニタの管理情報に基づいて建物全体を管理する建物用コントローラ３５によりホームネットワークが構築されている。なお、図１ではエアコン１５、コンセント装置２５及びパソコン２６がそれぞれ１つずつ図示されているが、建物１０内にはこれらが複数設けられている。
【００３１】
このホームネットワークには、上記建物１０内の機器の他、車庫４０に停められた車両４１のＥＣＵ４２及び当該車両４１のドアを施解錠する車両用の施解錠装置４３が接続されている。ＥＣＵ４２は、車両用コントローラであり、ＣＰＵやメモリ等を備えた周知のマイクロコンピュータを主体として構成されている。ＥＣＵ４２のメモリには、車両４１を制御するための各種プログラム及びデータの他、車両４１の走行に関する各種情報（車両走行情報）が格納される。
【００３２】
本実施形態では、ＥＣＵ４２及び車両用の施解錠装置４３は、車両４１に設けられたＥＴＣ車載器４４と車庫４０に設けられた無線通信機４５を介して、ホームネットワークに接続されている。詳しくは、車両用の施解錠装置４３はＥＣＵ４２に接続されており、ＥＣＵ４２にはＥＴＣ車載器４４が接続されている。ＥＴＣ車載器４４は、車両４１が高速道路などの有料道路を走行するに際し料金の精算に使用されるＥＴＣ（Electronic Toll Collection）システムの端末装置である。ＥＴＣ車載器４４は、無線通信機４５に無線通信により接続され、無線通信機４５はホームネットワークに接続されている。
【００３３】
図２は、ホームネットワークに接続された機器の電気的構成を示す図である。
【００３４】
施解錠管理モニタ３１は、管理下のドアや窓サッシのうち監視対象として設定されているドアや窓サッシの施解錠を監視し、監視対象のドアや窓サッシのいずれかが解錠されると、その旨を建物用コントローラ３５へ通知する。本実施形態では、玄関ドア１１、裏口ドア１２及び建物１０の全ての窓サッシ１３が施解錠管理モニタ３１の管理下に置かれている。
【００３５】
詳しくは、施解錠装置２１〜２３，４３は、各施解錠装置によるドアや窓サッシの施解錠をホームネットワークを介して通知する。施解錠管理モニタ３１は、監視対象のドアや窓サッシ用の施解錠装置による施解錠通知を受け付け、受け付けた施解錠通知に基づいて監視対象のドアや窓サッシの施解錠を判定する。一方、監視対象外のドアや窓サッシ用の施解錠装置による施解錠通知については、施解錠管理モニタ３１はその通知を受け付けず、監視対象外のドアや窓サッシの施解錠は判定しない。そして、施解錠管理モニタ３１は、監視対象のドアや窓サッシのいずれかが解錠状態であると判定した場合には、その旨を建物用コントローラ３５へ通知する。
【００３６】
特に、施解錠管理モニタ３１では、管理下のドアや窓サッシのいずれか１つを操作対象として選択し、操作対象のドア又は窓サッシを監視対象に加えることや、操作対象のドア又は窓サッシを監視対象から除外することが可能となっている。また、施解錠管理モニタ３１は、玄関ドア１１、裏口ドア１２及び建物１０の全ての窓サッシ１３のうち複数のドアや窓サッシを監視対象として一括設定する監視モードを有している。本実施形態では、施解錠管理モニタ３１は、玄関ドア１１、裏口ドア１２及び建物１０内の全ての窓サッシ１３を監視対象として一括設定する留守モードを有している。
【００３７】
待機電力管理モニタ３２は、上記ホームネットワーク上の各種装置のうち監視対象として設定された装置の待機電力を管理する。本実施形態では、建物１０内の全てのエアコン１５が待機電力管理モニタ３２の管理下に置かれている。
【００３８】
詳しくは、各エアコン１５は、当該エアコン用のコンセント装置２５に接続されており、そのコンセント装置２５を介して電力供給を受けている。各エアコン１５は、当該エアコンの作動開始要求及び作動停止要求を待機電力管理モニタ３２へ通知する。なお、各エアコン１５においてこれらの要求を待機電力管理モニタ３２へ通知する手段は、コンセント装置２５とは別の待機電力の管理下にない経路を介して電力供給を受けている。待機電力管理モニタ３２は、監視対象のエアコンから作動停止要求を受けると、当該エアコン用のコンセント装置への電力供給を遮断し、監視対象のエアコンの作動開始要求を受けると、当該エアコン用のコンセント装置への電力供給を開始する。一方、監視対象外のエアコンによる作動開始要求及び作動停止要求については、待機電力管理モニタ３２はその要求を受け付けず、監視対象外のエアコン用のコンセント装置へは電力を常時供給する。
【００３９】
特に、待機電力管理モニタ３２では、管理下のエアコン１５のうちいずれか１つを操作対象として選択し、操作対象のエアコンを監視対象に加えることや、操作対象のエアコンを監視対象から除外することが可能となっている。また、待機電力管理モニタ３２は、建物１０内の全てのエアコン１５のうち複数のエアコンを監視対象として一括設定する監視モードを有している。本実施形態では、待機電力管理モニタ３２は、建物１０内の全てのエアコン１５を一括設定する省エネモードを有している。
【００４０】
建物用コントローラ３５は、ＣＰＵやメモリ等を備えた周知のマイクロコンピュータを主体として構成されており、各種プログラムやデータを記憶する記憶装置が内蔵されている。
【００４１】
建物用コントローラ３５では、無線通信機４５及びＥＴＣ車載器４４を介して、車両４１のＥＣＵ４２に格納された車両走行情報（走行距離や走行速度）が記憶装置へダウンロード可能となっている。特に、建物用コントローラ３５では、その記憶装置において車両走行情報の格納場所（ディレクトリやアドレス）が車両４１を運転する居住者毎に設定されており、これらの格納場所のいずれか１つを選択して、選択した格納場所へ車両走行情報をダウンロード可能となっている。
【００４２】
風呂設備管理モニタ３３は、風呂設備１７の各種設定情報（湯温や湯量や浴室温度など）を受け付け、受け付けた設定情報に基づいて風呂設備１７を制御する。特に、風呂設備管理モニタ３３では、複数のパソコン２６のうちいずれか１台を選択し、選択したパソコンから風呂設備１７の設定情報をダウンロード可能となっている。
【００４３】
以上説明したホームネットワーク上の各種機器は、移動体通信機としての電子キー１８と共に電子キーシステムを構成している。
【００４４】
電子キー１８は携帯型の無線通信機である。本実施形態では、電子キー１８は、狭域無線通信を可能とする無線通信部１８ａ、当該電子キー１８への入力操作を受け付ける通信ボタン１８ｂ、当該電子キー１８の内部状態を表示するランプ（ＬＥＤ）１８ｃ、及び当該電子キー１８の各部を制御する制御部１８ｄとを備えている。ランプ１８ｃは制御部１８ｄの制御により点灯、点滅又は消灯するようになっている。なお、電子キー１８の表示器としては、ランプ１８ｃ以外にも、ＬＣＤ（Liquid Crystal Display）等の画面表示装置を採用することもできる。
【００４５】
一方、上記ホームネットワーク上の各種機器には、電子キー１８との狭域無線通信を可能とするＩＤ読取手段が備えられている。詳しくは、施解錠装置２１，２２，２３，４３には、それぞれＩＤ読取部２１ａ，２２ａ，２３ａ，４３ａとＩＤ読取部２１ｂ、２２ｂ、２３ｂ，４３ｂの２種類のＩＤ読取手段が設けられている。これらの２種類のＩＤ読取手段の機能については後述する。コンセント装置２５にはＩＤ読取部２５ａが設けられている。パソコン２６には、ＩＤ読取機２６ａが接続されている。建物用コントローラ３５にはＩＤ読取部３５ａが設けられている。管理モニタ３１，３２，３３には、それぞれＩＤ読取部３１ａ，３２ａ，３３ａが設けられている。車両４１にはＥＣＵ４２に接続された車両用のＩＤ読取機４６が設けられている。
【００４６】
なお、上記ホームネットワーク上の各種機器（施解錠装置２１〜２３，４３、コンセント装置２５、パソコン２６、建物用コントローラ３５、及びＥＣＵ４２）と電子キー１８との無線通信の通信距離は、２以上の機器が同時に電子キー１８と通信可能とならないように、設定されることが望ましい。特に、本実施形態では、施解錠装置２１〜２３，４３に２種類のＩＤ読取部２１ａ〜２３ａ，４３ａとＩＤ読取部２１ｂ〜２３ｂ，４３ｂとを設けられているため、上記ホームネットワーク上の各種機器と電子キー１８との無線通信として狭域無線通信を採用しているが、これに代えて他の近距離無線通信を採用してもよい。
【００４７】
この電子キーシステムでは、建物１０のドアや窓サッシ及び車両４１のドアの施解錠が電子キー１８によって可能となっている。
【００４８】
電子キー１８には、当該電子キー１８を識別するＩＤ（移動体情報）が記憶されている。電子キー１８は、無線通信部１８ａで施解錠装置２１〜２３，４３によるＩＤ要求を受信するとともに、受信されたＩＤ要求に応じて無線通信部１８ａから当該電子キー１８のＩＤを送信する。ここでＩＤ要求とは、電子キー１８に対してＩＤの送信を要求する信号である。施解錠装置２１〜２３，４３は、ＩＤ読取部２１ａ〜２３ａ，４３ａからＩＤ要求を繰り返し送信するとともに、施解錠用のＩＤ読取部２１ａ〜２３ａ，４３ａで電子キー１８のＩＤを受信する。以下、ＩＤ読取部２１ａ〜２３ａ，４３ａを「施解錠用のＩＤ読取部」という。
【００４９】
この場合、施解錠用のＩＤ読取部２１ａ〜２３ａのいずれかに電子キー１８を近づけると、電子キー１８とＩＤ読取部との間の狭域無線通信によって、電子キー１８において施解錠装置によるＩＤ要求が受信される。これにより、電子キー１８において当該電子キー１８のＩＤが送信される。施解錠用のＩＤ読取部において、電子キー１８のＩＤが受信されると、そのＩＤと予め登録されたＩＤとの照合が実行され、受信されたＩＤが予め登録されたＩＤのいずれかと一致した場合に解錠処理が実行される。
【００５０】
ここで、施解錠管理モニタ３１や待機電力管理モニタ３２における監視対象の設定方法としては、施解錠管理モニタ３１や待機電力管理モニタ３２において、管理下の機器の一覧をリスト表示し、それらのリスト表示に基づいて操作対象を選択させ、選択された操作対象を監視対象へ追加又は監視対象から除外することが考えられる。
【００５１】
建物用コントローラ３５による車両走行情報のダウンロード先や風呂設備管理モニタ３３による風呂設備１７の設定情報のダウンロード元の設定方法としては、建物用コントローラ３５及び風呂設備管理モニタ３３において、それぞれダウンロード先及びダウンロード元の一覧をリスト表示させ、それらのリスト表示に基づいて操作対象を選択させ、選択された操作対象をダウンロード先又はダウンロード元として設定することが考えられる。
【００５２】
しかしながら、これらの場合、リスト表示から操作対象に対応するリスト項目を見つけ出し、更に見つけ出したリスト項目を選択する一連の操作が煩雑である。
【００５３】
例えば、施解錠管理モニタ３１では、留守モードで建物１０内の全てのドアや窓サッシが監視対象に設定されている状態で、裏口から建物１０に出入りするために当該裏口ドア１２だけを監視対象から除外することが考えられる。この場合、建物１０内の全てのドアや窓サッシのリスト表示から裏口ドア１２に対応するリスト項目を見つけ出し、選択したリスト項目を選択する必要がある。
【００５４】
待機電力管理モニタ３２では、省エネモードで建物１０内の全てのエアコン１５が監視対象に設定されている状態で、所定の部屋（リビング等）だけを監視対象から除外することが考えられる。この場合、建物１０内の全てのエアコン１５から所定の部屋に設置されたエアコンに対応するリスト項目を見つけ出し、更に見つけ出したリスト項目を選択する必要がある。
【００５５】
そこで、本実施形態では、電子キーシステム（機器間通信システム）によって、施解錠管理モニタ３１、待機電力管理モニタ３２における監視対象の設定、建物用コントローラ３５における車両走行情報のダウンロード先の設定、及び風呂設備管理モニタ３３における風呂設備１７の設定情報のダウンロード元の設定が可能となっている。
【００５６】
次に、上記電子キーシステムによる通信設定処理について説明する。
【００５７】
（施解錠管理モニタにおける監視対象の設定処理）
玄関ドア用の施解錠装置２１、裏口ドア用の施解錠装置２２及び窓サッシ用の施解錠装置２３、車両４１のドア用の施解錠装置４３には、各施解錠装置を識別する機器情報が記憶されている。本実施形態の電子キーシステムでは、施解錠装置２１〜２３，４３のＩＤ読取部２１ｂ〜２３ｂ，４３ｂうち監視対象に追加又は除外したい操作対象の施解錠装置のＩＤ読取部に電子キー１８を近づけると、操作対象の施解錠装置の機器情報が施解錠装置と電子キー１８との間の狭域無線通信によって施解錠装置から電子キー１８へ送信され、その機器情報が電子キー１８に記憶される。以下、ＩＤ読取部２１ｂ〜２３ｂ，４３ｂを「通信設定用のＩＤ読取部」という。
【００５８】
その後、施解錠管理モニタ３１のＩＤ読取部３１ａに電子キー１８を近づけると、操作対象の施解錠装置の機器情報が施解錠管理モニタ３１と電子キー１８との間の狭域無線通信によって電子キー１８から施解錠管理モニタ３１へ送信される。これにより、施解錠管理モニタ３１において、受信された機器情報により識別される施解錠装置が監視対象に含まれていない場合には当該施解錠装置が監視対象へ追加され、受信された機器情報により識別される施解錠装置が監視対象に含まれている場合には当該施解錠装置が監視対象から除外される。
【００５９】
図３は、施解錠管理モニタ３１において裏口ドア１２を監視対象に追加又は除外する通信設定処理の流れを示す図である。図３では、施解錠管理モニタ３１に通信設定の確認用の表示部が設けられており、その表示部に裏口ドア１２の監視状態が表示されることを想定している。すなわち、裏口ドア１２が監視対象に含まれている場合には、「ドアＢ  監視」と画面表示され、裏口ドア１２が監視対象に含まれていない場合には、「ドアＢ  ―」と画面表示されることを想定している。
【００６０】
施解錠管理モニタ３１において裏口ドア１２を監視対象に追加又は除外する場合には、まず裏口ドア用の施解錠装置２２に設けられた通信設定用のＩＤ読取部２２ｂに電子キー１８を近づける（図３（ｂ）参照）。これにより、電子キー１８において、施解錠装置２２との狭域無線通信によって当該施解錠装置２２の機器情報の取得が可能となる。この状態になると、電子キー１８において、ランプ１８ｃが点灯され、当該電子キー１８を携帯している居住者に対し、施解錠装置２２の機器情報の取得が可能となったことが表示される。
【００６１】
この状態で、電子キー１８を携帯する居住者により通信ボタン１８ｂが押されると、電子キー１８において、施解錠装置２２との狭域無線通信によって当該施解錠装置２２の機器情報が取得され、取得された機器情報が記憶される（図３（ｃ）参照）。すると、電子キー１８において、ランプ１８ｃが点滅され、施解錠装置２２の機器情報が当該電子キー１８に記憶されたことが表示される。
【００６２】
このように施解錠装置２２の機器情報が取得された状態で、施解錠管理モニタ３１のＩＤ読取部３１ａに電子キー１８を近づけると、電子キー１８において、施解錠管理モニタ３１との狭域無線通信によって、当該施解錠管理モニタ３１への施解錠装置２２の機器情報の通知が可能となる（図３（ｄ）参照）。この状態になると、電子キー１８において、ランプ１８ｃが点灯にされ、施解錠装置２２の機器情報の通知が可能となったことが表示される。
【００６３】
このように施解錠装置２２の機器情報の通知が可能となった状態で、電子キー１８を携帯する居住者により通信ボタン１８ｂが押されると、電子キー１８において、施解錠管理モニタ３１との狭域無線通信によって、施解錠装置２２の機器情報が当該施解錠管理モニタ３１へ送信（通知）される（図３（ｅ）参照）。すると、電子キー１８において、ランプ１８ｃが消灯され、施解錠装置２２の機器情報が施解錠管理モニタ３１へ送信されたことが表示される。
【００６４】
施解錠管理モニタ３１では、受信された機器情報に基づいて裏口ドア用の施解錠装置２２が識別される。そして、施解錠管理モニタ３１において、裏口ドア用の施解錠装置２２が監視対象に含まれていない場合には当該施解錠装置２２が監視対象へ追加され、裏口ドア用の施解錠装置２２が監視対象に含まれている場合には当該施解錠装置２２が監視対象から除外される。
【００６５】
（待機電力管理モニタにおける監視対象の設定処理）
待機電力管理モニタ３２における監視対象の設定も施解錠管理モニタ３１における監視対象の設定と同様の操作で行うことができる。
【００６６】
すなわち、複数のエアコン用のコンセント装置２５には、それらを識別する機器情報が記憶されている。エアコン１５うち待機電力管理モニタ３２において監視対象に追加又は除外したいエアコン用のコンセント装置（操作対象のコンセント装置）のＩＤ読取部に電子キー１８を近づけると、操作対象のコンセント装置の機器情報がコンセント装置と電子キー１８との間の狭域無線通信によってコンセント装置から電子キー１８に送信され、その機器情報が電子キー１８に記憶される。
【００６７】
その後、待機電力管理モニタ３２のＩＤ読取部３２ａに電子キー１８を近づけると、操作対象のコンセント装置の機器情報が待機電力管理モニタ３２と電子キー１８との間の狭域無線通信によって電子キー１８から待機電力管理モニタ３２へ送信される。これにより、待機電力管理モニタ３２において、受信した機器情報のコンセント装置が監視対象に含まれていない場合には当該コンセント装置が監視対象へ追加され、受信した機器情報のコンセント装置が監視対象に含まれている場合には当該コンセント装置が監視対象から除外される。
【００６８】
（建物用コントローラにおける車両走行情報ダウンロード先の設定処理）
本実施形態の電子キーシステムでは、車両用のＩＤ読取機４６に電子キー１８を近づけると、車両４１のＥＣＵ４２の機器情報がＩＤ読取機４６と電子キー１８との間の狭域無線通信によってＥＣＵ４２からＩＤ読取機４６を介して電子キー１８に送信され、その機器情報が電子キー１８に記憶される。
【００６９】
その後、建物用コントローラ３５のＩＤ読取部３５ａに電子キー１８を近づけると、電子キー１８のＩＤ及びＥＣＵ４２の機器情報がＩＤ読取部３５ａと電子キー１８との狭域無線通信によって電子キー１８から建物用コントローラ３５へ送信される。これにより、建物用コントローラ３５において、受信された電子キー１８のＩＤに基づいて車両走行情報のダウンロード先が設定され、設定されたダウンロード先へＥＣＵ４２から車両走行情報がダウンロードされる。
【００７０】
（風呂設備管理モニタにおける設定情報ダウンロード元の設定処理）
複数のパソコン２６には、それらを識別する機器情報が記憶されている。これらのパソコン２６のうち風呂設備をこれから利用する居住者用のパソコンのＩＤ読取機に電子キー１８を近づけると、風呂設備利用者のパソコンの機器情報がＩＤ読取機と電子キー１８との間の狭域無線通信によってパソコンのＩＤ読取機から電子キー１８へ送信され、その機器情報が電子キー１８に記憶される。
【００７１】
その後、風呂設備管理モニタ３３のＩＤ読取部３３ａに電子キー１８を近づけると、風呂設備利用者のパソコンの機器情報が風呂設備管理モニタ３３と電子キー１８狭域無線通信によって電子キー１８へ送信される。これにより、風呂設備管理モニタ３３において、受信された機器情報に基づいて風呂設備利用者のパソコンがダウンロード元として設定され、風呂設備利用者のパソコンから風呂設備１７の設定情報がダウンロードされる。
【００７２】
このように本実施形態の電子キーシステムでは、施解錠装置２１〜２３や、エアコン１５、コンセント装置２５、車両４１のＥＣＵ４２、パソコン２６等、ホームネットワークにおいて下位側の機器（第１の機器）の機器情報を、電子キー１８の仲介によって、各種管理モニタ３１〜３３や、建物用コントローラ３５等、ホームネットワークにおいて上位側の機器（第２の機器）へ通知することができる。これにより、第２の機器において第１の機器との通信設定が可能となっている。
【００７３】
次に、上記通信設処理を含む電子キーシステムの通信処理全体の流れについて、図４〜７を参照しつつ説明する。図４は、この通信処理における電子キー１８の状態遷移図である。図５〜７は、この通信処理の流れを示すフローチャートである。図５では第１の機器側の処理と電子キー１８側の処理とを左右に、図６では電子キー１８側の処理と第２の機器側の処理とを左右に、図７では第１の機器側の処理と第２の機器側の処理とを左右に分けて図示している。なお、図５〜７の通信処理は、電子キー１８、第１の機器及び第２の機器により繰り返し実行される。
【００７４】
図４に示すように、電子キー１８は、大きくは通常モード及び仲介モード（設定切替状態）の２つの内部状態を有している。通信処理の実行開始直後、電子キー１８の内部状態は、通常モードのＩＤ送信状態Ｑ１となっている。
【００７５】
ＩＤ送信状態Ｑ１では、電子キー１８は、上述した施解錠処理におけるＩＤ送信手段として機能する。すなわち、電子キー１８は、第１の機器によるＩＤ要求を受信し、受信したＩＤ要求に応じて当該電子キー１８のＩＤを送信する（ステップＳ１１〜Ｓ１３参照）。
【００７６】
ステップＳ１４〜Ｓ１６において、第１の機器は、電子キー１８を識別する識別手段、及び電子キー１８による通信設定の切替を許可又は禁止する制限手段として機能する。すなわち、第１の機器は、電子キー１８のＩＤを受信し、受信されたＩＤと予め登録されたＩＤとを照合する（ステップＳ１４，Ｓ１５参照）。そして、第１の機器は、電子キー１８のＩＤが予め登録されたＩＤのいずれかと一致した場合には、第１の機器において電子キー１８のＩＤが受信されたことを示すＩＤ受信応答を電子キー１８へ送信する（ステップＳ１６参照）。この場合、以降一定の要件を満たすことにより、第１の機器と第２の機器との間の通信設定が切り替わる。一方、ステップＳ１４において電子キー１８のＩＤを受信できなった場合又はステップＳ１５において電子キー１８のＩＤが予め登録されたＩＤのいずれにも一致しなかった場合には、第１の機器は、図７に示すステップＳ４５の処理に進む。この場合、第１の機器と第２の機器との間の通信設定は切り替わらない。
【００７７】
これにより、電子キー１８のＩＤに応じて通信設定の切替を許可又は禁止することができる。例えば、建物１０用でない電子キー１８による通信設定の切替を禁止することが可能である。この場合、居住者以外の者（不審者）が通信設定を故意に誤設定することを抑制することができる。また、建物１０用の電子キー１８毎に当該電子キー１８による通信設定の切替を許可又は禁止することが可能である。この場合、一部の居住者（例えば子供）が通信設定を過失により誤設定することを抑制することができる。
【００７８】
ここで、電子キー１８において第１の機器によるＩＤ受信応答が受信された場合には、第１の機器と電子キー１８との間の狭域無線通信により、電子キー１８において第１の機器の機器情報の取得が可能であると言える（ステップＳ１７参照）。この場合、電子キー１８の内部状態は、通常モードの機器情報取得状態Ｑ２へ遷移する（図４参照）。一方、第１の機器へＩＤを送信してから所定時間（例えば１分）が経過するまでの期間内に電子キー１８において第１の機器によるＩＤ受信応答が受信できなかった場合には、電子キー１８において第１の機器の機器情報の取得が不能であると言える（ステップＳ１７参照）。この場合、電子キー１８は今回の通信処理の実行を終了する。
【００７９】
なお、第１の機器である施解錠装置２１〜２３は、施解錠用のＩＤ読取部２１ａ〜２３ａで電子キー１８のＩＤを受信したとしても、ＩＤ受信応答を送信しないようになっている。そのため、上述した施解錠処理によって、電子キー１８の内部状態が通常モードのＩＤ送信状態Ｑ１から機器情報取得状態Ｑ２に遷移することはない。
【００８０】
機器情報取得状態Ｑ２では、電子キー１８は以下の手段として機能する。すなわち、第１に、電子キー１８は、ランプ１８ｃを点灯させることにより、当該電子キー１８を携帯している居住者に対し第１の機器の機器情報（第１機器情報）の取得が可能であることを表示し、その居住者に対し第１機器情報の取得操作、具体的には通信ボタン１８ｂの押下を促す、表示手段として機能する（ステップＳ１８参照）。第２に、電子キー１８は、第１機器情報を取得する取得手段として機能する（ステップＳ１９，Ｓ２０，Ｓ２３参照）。
【００８１】
詳しくは、電子キー１８は、ランプ１８ｃを点灯させてから所定時間（例えば１分）が経過するまでの期間（操作待ち期間）、通信ボタン１８ｂの押下を待つ（ステップＳ１９参照）。電子キー１８は、通信ボタン１８ｂが上記操作待ち期間内に押された場合には、第１の機器に対して機器情報の送信を要求する機器情報要求を送信する（ステップＳ２０参照）。一方、通信ボタン１８ｂが上記操作待ち期間内に押されなかった場合には、電子キー１８は、図６に示すステップＳ４１においてランプ１８ｃを消灯させた上で、今回の通信処理の実行を終了する。
【００８２】
第１の機器は、ＩＤ受信応答を電子キー１８へ送信してから所定時間（例えば２分）経過するまでの期間内に電子キー１８による機器情報要求を受信した場合には、機器情報を電子キー１８へ送信した上で、図７に示すステップＳ４５の処理に進み（ステップＳ２１，Ｓ２２参照）、同期間内に電子キー１８による機器情報要求を受信できなかった場合には、機器情報を電子キー１８へ送信することなく、図７に示すステップＳ４５の処理に進む（ステップＳ２１参照）。
【００８３】
電子キー１８は、機器情報要求を第１の機器へ送信してから所定時間（例えば１分）が経過するまでの期間内に機器情報を受信した場合には、受信した機器情報を第１の機器の機器情報（第１機器情報）として記憶（取得）する（ステップＳ２３，Ｓ２４参照）。この場合、電子キー１８の内部状態は、仲介モードのＩＤ送信状態Ｑ３へ遷移する（図４参照）。一方、機器情報要求を第１の機器へ送信してから所定時間が経過するまでの期間内に第１機器情報を受信できなかった場合には、電子キー１８は図６に示すステップＳ４１においてランプ１８ｃを消灯させた上で、今回の通信処理の実行を終了する。
【００８４】
ＩＤ送信状態Ｑ３では、電子キー１８は以下の手段として機能する。すなわち、電子キー１８は、ランプ１８ｃを点滅させることにより、当該電子キー１８を携帯している居住者に対し、第１機器情報を取得したことを表示し、その居住者に対し第２の機器への電子キー１８のＩＤの送信操作、具体的には第２の機器のＩＤ読取手段に電子キー１８を近づけることを促す、表示手段として機能する（図６のステップＳ２５参照）。第２に、電子キー１８は、ＩＤ送信手段として機能する（ステップＳ２７，Ｓ２８参照）。詳しくは、電子キー１８は、第２の機器によるＩＤ要求を受信すると、当該電子キー１８のＩＤを送信する（ステップＳ２６〜Ｓ２８参照）。
【００８５】
ステップＳ２９〜Ｓ３１では、第２の機器は、電子キー１８を識別する識別手段、及び電子キー１８による通信設定の切替を許可又は禁止する制限手段として機能する。すなわち、第２の機器は、第１の機器と同様にして、電子キー１８のＩＤを受信し、受信したＩＤと予め登録されたＩＤとを照合し、その照合結果に応じてＩＤ受信応答を送信する。これにより、第１の機器と同様に、建物１０用でない電子キー１８による通信設定の切替を禁止することや、建物１０用の電子キー１８毎に当該電子キー１８による通信設定の切替を許可又は禁止することができる。
【００８６】
なお、ステップＳ２５においてランプ１８ｃを点滅させてから所定時間（例えば５分）経過しても、ステップＳ３２において第２の機器によるＩＤ受信応答が受信できない場合には、電子キー１８において今回の通信処理を終了させてもよい。これにより、電子キー１８における通信処理をタイムアウトにより強制終了させることができる。
【００８７】
ここで、電子キー１８において第２の機器によるＩＤ受信応答が受信された場合には、第２の機器との狭域無線通信により、電子キー１８において当該第２の機器への第１機器情報の通知が可能であると言える（ステップＳ３２参照）。この場合、電子キー１８の内部状態は、仲介モードの機器情報通知状態Ｑ４へ遷移する（図４参照）。
【００８８】
機器情報通知状態Ｑ４では、電子キー１８は、以下の各手段として機能する。すななち、第１に、電子キー１８は、ランプ１８ｃを点灯させることにより、当該電子キー１８を携帯している居住者に対し、第２の機器への第１機器情報の通知が可能であることを表示し、第１機器情報の第２の機器への通知操作、すなわち通信ボタン１８ｂの押下を促す、表示手段として機能する（図６のステップＳ３３参照）。第２に、電子キー１８は、第１機器情報を第２の機器へ通知する通知手段として機能する（ステップＳ３４，Ｓ３５，Ｓ３８参照）。
【００８９】
詳しくは、電子キー１８は、ランプ１８ｃを点灯させてから所定時間（例えば１分）が経過するまでの期間（操作待ち期間）、通信ボタン１８ｂの押下を待つ（ステップＳ３４参照）。電子キー１８は、通信ボタン１８ｂが上記操作待ち期間内に押された場合には、機器情報要求を第２の機器へ送信し（ステップＳ３５参照）、通信ボタン１８ｂが上記操作待ち期間内に押されなかった場合には、ステップＳ４１においてランプ１８ｃを消灯させた上で、今回の通信処理の実行を終了する。
【００９０】
第２の機器は、ＩＤ受信応答を電子キー１８へ送信してから所定時間（例えば２分）経過するまでの期間内に電子キー１８による機器情報要求を受信した場合には、電子キー１８へ機器情報を送信し（ステップＳ３６，Ｓ３７参照）、同期間内に機器情報要求を受信できなかった場合には、図７に示すステップＳ５５の処理に進む（ステップＳ３６参照）。
【００９１】
電子キー１８は、機器情報要求を第２の機器へ送信してから所定時間（例えば１分）が経過するまでの期間内に機器情報を受信した場合には、受信した機器情報を第２の機器の機器情報（第２機器情報）として記憶（取得）し、第１機器情報及び第２機器情報により識別される機器の組み合わせが通信相手として適当であるか否かを判定する（ステップＳ３８，Ｓ３９参照）。
【００９２】
例えば、電子キー１８は、第１機器情報及び第２機器情報により識別される機器の組み合わせが施解錠装置及び施解錠管理モニタ３１である場合には、機器の組み合わせが通信相手として適当であると判定し、両機器情報により識別される機器の組み合わせが施解錠装置及び待機電力管理モニタ３２である場合には機器の組み合わせが通信相手として不適当であると判定する。
【００９３】
そして、電子キー１８は、第１の機器及び第２の機器の組み合わせが適当であると判定した場合には、第１機器情報を第２の機器へ送信し、ランプ１８ｃを消灯させ、今回の通信処理の実行を終了する（ステップＳ３９〜Ｓ４１参照）、上記組み合わせが通信相手として不適当であると判定した場合には、第１機器情報を第２の機器へ送信することなく、ランプ１８ｃを消灯させ、今回の通信処理の実行を終了する（ステップＳ３９，Ｓ４１参照）。そのため、第１の機器を誤って選択した場合には、当該第１の機器との組み合わせとして不適当な第１の機器又は第２の機器との間で狭域無線通信を行うことにより、電子キー１８における通信処理を強制終了することができる。
【００９４】
なお、ステップＳ３９において、第１機器情報及び第２機器情報により識別される機器が同一の機器である場合には、電子キー１８により第１の機器及び第２の機器の組み合わせが不適当であると判定させてもよい。これにより、第１の機器を誤って選択した場合に、当該第１の機器との間で再度、狭域無線通信を行うことにより、電子キー１８における通信処理を強制的に終了させることができる。
【００９５】
一方、ステップＳ３８において、機器情報要求を第２の機器へ送信してから所定時間が経過するまでの期間内に第２機器情報を受信できなかった場合には、電子キー１８はステップＳ２５の処理に戻る。
【００９６】
第２の機器は、第２機器情報を電子キー１８へ送信してから所定時間（例えば１分）経過するまでの期間内に第１機器情報を受信した場合には図７に示すステップＳ４３の処理に進み、同期間内に第１機器情報を受信できなかった場合には、ステップＳ５５の処理に進む（ステップＳ４２参照）。
【００９７】
ステップＳ４３〜Ｓ５３では、第１の機器及び第２の機器は、互いの通信設定を判定する判定手段と、その判定結果に基づいて互いの通信設定を切り替える切替手段として機能する。詳しくは、第２の機器は、切替手段として、第１機器情報により識別される第１の機器との間の通信設定が通信可能設定であるか否かを判定し（ステップＳ４３参照）、その通信設定が通信不可設定であると判定した場合には、第１の機器との接続を確認すべく、第１の機器に対する通信要求を当該第１の機器へ送信する（ステップＳ４４参照）。ここで、通信可能設定とは、第１の機器と第２の機器との間でホームネットワークを介した通信が可能となる設定である。また、通信不可設定とは、第１の機器と第２の機器との間でホームネットワークを介した通信が不可となる設定である。
【００９８】
詳しくは、ステップＳ４５において、第１の機器は、第２の機器による通信要求を受信した場合、すなわち第２の機器による通信要求を受け付けた場合には、通信応答を第２の機器へ送信し、第２の機器による通信要求を受信できなかった場合には、通信応答を第２の機器へ送信することなく、ステップＳ５４の処理に進む（ステップＳ４５，Ｓ４６参照）。
【００９９】
ここで、第１の機器から電子キー１８が離されると、第１の機器において電子キー１８によるＩＤが受信されなくなる。この状態では、第１の機器は、図５に示すステップＳ１５，Ｓ１６，Ｓ２１，Ｓ２２の処理を実行することなく、第２の機器による通信要求が受信されるまで、図５に示すステップＳ１１及び図７に示すステップＳ４５，Ｓ５４の処理を繰り返し実行する。そのため、ステップＳ４５において、第１の機器は、第２の機器による通信要求の受付が可能となっている。この第１の機器の状態が「通信受付状態」に相当する。
【０１００】
第２の機器は、通信要求を第１の機器へ送信してから所定時間（例えば１分）経過するまでの期間内に第１の機器による通信応答を受信した場合には、第１の機器との通信が確立可能と判断し、第１の機器との間の通信設定を通信可能設定に切り替え、ステップＳ４９の処理に進む（ステップＳ４７，Ｓ４８参照）。第１の機器は、通信取決を受信すると、受信した通信取決を記憶する（ステップＳ５０，Ｓ５１参照）。
【０１０１】
ステップＳ４９〜Ｓ５１では、第１の機器及び第２の機器は設定手段として機能する。詳しくは、第２の機器は、第１の機器との互いの通信を成立させるための通信取決を当該第１の機器へ送信した上で、ステップＳ５５の処理に進む（ステップＳ４９参照）。
【０１０２】
一方、通信要求を第１の機器へ送信してから所定時間経過するまでの期間内に第１の機器による通信応答を受信できなかった場合には、第２の機器は、第１の機器との通信が確立不能と判断し、第１の機器との間の通信設定を切り替えることなく、所定のエラー処理を実行し、ステップＳ５５の処理に進む（ステップＳ４７，Ｓ５２参照）。エラー処理としては、例えば建物用コントローラ３５や第２の機器に表示部が設けられている場合には、その表示部により第１の機器との通信が確立できない旨を画面表示することが考えられる。
【０１０３】
これに対して、ステップＳ４３において第１の機器との間の通信設定が通信可能設定であると判定した場合には、第２の機器は、第１の機器との間の通信設定を通信不能設定に切り替える（ステップＳ５３参照）。
【０１０４】
ステップＳ５４，Ｓ５５では、第１の機器及び第２の機器は、都度の通信設定及び通信取決に従って互いに通信を行う通信手段として機能する。
【０１０５】
例えば、第１の機器及び第２の機器がそれぞれ施解錠装置及び施解錠管理モニタ３１である場合や、第１の機器及び第２の機器がそれぞれエアコン及び待機電力管理モニタ３２である場合には、第１の機器と第２の機器との間の通信設定を通信可能設定に切り替えることが、施解錠管理モニタ３１において施解錠装置を監視対象へ追加することや、待機電力管理モニタ３２においてエアコンを監視対象へ追加することに相当し、第１の機器と第２の機器との間の通信設定を通信不可設定に切り替えることが、施解錠管理モニタ３１において施解錠装置を監視対象から除外することや、待機電力管理モニタ３２においてエアコンを監視対象から除外することに相当する。
【０１０６】
この場合、通信取決としては、施解錠装置による施解錠通知の送信順序や、エアコンによる作動開始要求及び作動停止要求の送信順序が考えられる。このような通信取決に従って第１の機器と第２の機器との間で通信を行うことにより、監視対象に複数の機器が含まれる場合において、これらの機器による情報の送信順序により、監視対象の複数の機器のうちいずれの機器から送信された情報かを識別することができる。
【０１０７】
また、第１の機器及び第２の機器がそれぞれ車両４１のＥＣＵ４２及び建物用コントローラ３５である場合や、第１の機器及び第２の機器がそれぞれパソコン２６及び風呂設備管理モニタ３３である場合には、第１の機器との間の通信設定を通信可能設定に切り替えることが、車両４１のＥＣＵ４２から建物用コントローラ３５への車両走行情報をダウンロード可能とすることや、パソコン２６から風呂設備管理モニタ３３への風呂設備１７の設定情報をダウンロード可能とすることに相当する。この場合、通信取決としては、第１の機器による情報の送信時期、第１の機器が送信すべき情報の種別（例えば、走行距離や走行速度、湯温や湯量や浴室温度）、第１の機器による情報の送信順序（例えば、走行距離→走行速度、湯温→湯量→浴室温度）、情報の格納場所（車両走行情報のダウンロード先）などが考えられる。
【０１０８】
以上の構成により、以下に示す有利な効果が得られる。
【０１０９】
第１の機器及び第２の機器の各機器と電子キー１８との間の狭域無線通信により、第２の機器における第１の機器との間の通信設定が切り替わるようにした。この場合、第１の機器及び第２の機器に電子キー１８を近づける行為と、第２の機器における第１の機器との間の通信設定が切り替わるという結果が直感的に結びつく。そのため、第２の機器における第１の機器との間の通信設定を容易に行うことができる。
【０１１０】
特に、建物には数多くのドアや窓サッシが設けられるため、施解錠管理モニタ３１において、建物に設けられた全てのドアや窓サッシから１のドアや窓サッシを選択し、選択したドアや窓サッシ用の施解錠装置との間の通信設定を行う操作は煩雑である。建物にはエアコンの他にも電化製品が数多く備えられるため、待機電力管理モニタ３２において、建物に備えられた全電化製品から１の電化製品を選択し、選択した電化製品との間の通信設定を行う操作は煩雑である。建物内に多くのパソコンが備えられている場合には、風呂設備管理モニタ３３において、全てのパソコンから１のパソコンを選択し、選択したパソコンとの間の通信設定を行う操作は煩雑である。
【０１１１】
これらの場合であっても、上述した電子キー１８による直感的な操作により、施解錠管理モニタ３１、待機電力管理モニタ３２、風呂設備管理モニタ３３及び建物用コントローラ３５における通信設定を容易に行うことができる。
【０１１２】
第１の機器と電子キー１８との間の狭域無線通信により第１の機器から電子キー１８へ第１機器情報が送信され、第２の機器と電子キー１８との間狭域無線通信により電子キー１８から第２の機器へ第１機器情報が送信されるようにした。この場合、ホームネットワークを介した第１の機器と第２の機器との間の通信によらず、電子キー１８を介して第１機器情報が第２の機器へ通知される。そのため、ホームネットワークを介した第１の機器と第２の機器との間の通信が確立されていない場合、例えば第１の機器において第２の機器のホームネットワーク上の識別番号（ＩＰアドレス）が設定されていない場合であっても、第１機器情報を第２の機器へ通知することが可能である。これにより、ホームネットワークを介した第１の機器と第２の機器との間の通信が確立されていない場合であっても、第２の機器において、通知された第１機器情報に基づいて第１の機器を識別し、識別された第１の機器との間の通信設定を行うことができる。
【０１１３】
建物用コントローラ３５において、車両走行情報のダウンロード先が電子キー１８のＩＤに応じて設定されるようにした。ここで、建物用コントローラ３５において、車両走行情報の全ダウンロード先から１のダウンロード先を選択し、選択したダウンロード先へ車両走行情報がダウンロードされるように通信設定を切り替える操作は煩雑である。特に、車両の運転者が多い場合、例えば集合住宅のように建物に多くの車両が付随しており結果として車両の運転者が多い場合には、建物用コントローラ３５において車両走行情報のダウンロード先が数多く設定される。この場合、上述した建物用コントローラ３５と車両４１のＥＣＵ４２との間の通信設定の切替操作は一層煩雑となる。この点、上述の如く車両走行情報を電子キー１８のＩＤに応じて設定することにより、運転者に応じた車両走行情報のダウンロード先が自動的に設定される。これにより、建物用コントローラ３５と車両４１のＥＣＵ４２との間の通信設定を一層容易に行うことができる。
【０１１４】
電子キー１８において、第１機器情報の取得後に狭域無線通信を行った通信相手を第２の機器であると識別するようにした。具体的には、電子キー１８の内部状態を、第１機器情報の取得に伴って、通常モードから仲介モード（設定切替状態）へ遷移させた。仲介モードでは、電子キー１８は、受信された機器情報を第２の機器によるもの（第２機器情報）と識別する。そのため、第１の機器と電子キー１８との狭域無線通信を行った後に、第２の機器と電子キー１８との狭域無線通信を行うに際し、その通信相手が第２の機器であることを設定する操作を電子キー１８に対し行う必要がない。
【０１１５】
第１の機器及び第２の機器において、電子キー１８のＩＤと予め登録されたＩＤとを照合し、これらのＩＤが一致しない場合には通信処理の実行を終了させた（図５のステップＳ１５、図６のステップＳ３０参照）。これにより、第１の機器と第２の機器との間の通信設定の変更を一定の者に制限し、建物１０の防犯性や安全性を高めることができる。例えば、施解錠管理モニタ３１と施解錠装置２１〜２３との通信設定を建物１０の居住者に制限することにより、建物１０の防犯性の向上を図ることができる。また、風呂設備管理モニタ３３とパソコン２６との通信設定の変更を建物１０の居住者のうち大人に制限することにより、建物１０の安全性の向上を図ることができる。
【０１１６】
建物用コントローラ３５において、車両４１のＥＣＵ４２から車両走行情報をダウンロードする場合に、電子キー１８のＩＤに基づいて車両走行情報のダウンロード先（格納場所）を設定し、設定したダウンロード先へ車両走行情報をダウンロードするようにした。これにより、建物１０の居住者による車両走行情報の格納場所の設定操作を省略し、建物用コントローラ３５と車両４１のＥＣＵ４２との間の通信設定を一層容易にすることができる。
【０１１７】
（他の実施形態）
以上説明した実施形態に限らず、例えば以下に別例として示した形態で実施することもできる。
【０１１８】
・上記実施形態では、第１の機器及び第２の機器の各機器に近づけて各機器との間で無線通信を行う電子キー１８を、移動体通信機として採用した。しかしながら、これに限られず、第１の機器及び第２の機器の各機器のＩＤ読取手段に接触させて各機器との間で通信を行う電子キー（例えば、接触型のＩＣカード）を、移動体通信機として採用してもよい。この場合、第１の機器及び第２の機器の各機器と電子キーとの間で通信を行うことにより、電子キーにおいて第１機器情報を確実に取得することができ、電子キーにおいて第１機器情報を第２の機器へ確実に通知することができ、ひいては電子キーシステムにおいて第１の機器と第２の機器との間の通信設定を確実に切り替えることができる。
【０１１９】
・上記実施形態では、第１機器情報を第２の機器へ通知したが、第２機器情報を第１の機器へ通知するようにしてもよい。この場合でも、第１の機器において、第２機器情報により識別される第２の機器との間の通信設定を切り替えることができる。また、第１の機器において、第２機器情報により識別される第２の機器に対し、ホームネットワークを介して通信設定の切り替えを要求することにより、第２の機器において、第１の機器との間の通信設定を切り替えることもできる。
【０１２０】
このような機器情報の通知を行うためには、第２の機器と電子キー１８との間で狭域無線通信を行うことにより、電子キー１８により第２機器情報を取得させ、その後、第１の機器と電子キー１８との間で狭域無線通信を行うことにより、電子キー１８により第２機器情報を第１の機器へ通知させることが考えられる。この場合、第１の機器及び第２の機器の各機器と電子キー１８との通信順序が上記実施形態とは逆になる。これにより、居住者の動線によっては、機器間の通信設定を一層容易に行うことができる。
【０１２１】
例えば、施解錠管理モニタ３１においてドアや窓サッシを監視対象から除外した上で当該ドアや窓サッシを解錠することが考えられる。この場合、施解錠管理モニタ３１のＩＤ読取部３１ａに電子キー１８を近づけ、施解錠管理モニタ３１と電子キー１８との間で狭域無線通信を行い、続いて全てのドアや窓サッシのうち監視対象から除外したいドアや窓サッシ（操作対象のドアや窓サッシ）を施解錠する施解錠装置の通信設定用のＩＤ読取部に電子キー１８を近づけ、操作対象のドアや窓サッシ用の施解錠装置と電子キー１８との間で狭域無線通信を行うことにより、操作対象のドアや窓サッシを監視対象から除外できることが望ましい。これにより、上述の如くドアや窓サッシを監視対象から除外した後、そのドアや窓サッシ用の施解錠装置の施解錠用のＩＤ読取部に電子キー１８を近づけ、施解錠装置と電子キー１８との間で狭域無線通信を行うことにより、監視対象から除外したドアや窓サッシを解錠することができる。
【０１２２】
・上記実施形態では、電子キー１８を介して第１機器情報を第２の機器へ通知した。しかしながら、これに限られず、電子キー１８、第１の機器及び第２の機器とは別の第３の機器を介して第１機器情報を第２の機器へ通知してもよい。
【０１２３】
例えば、第１の機器及び第２の機器のいずれか一方の機器と電子キー１８との間で狭域無線通信を行うことにより、一方の機器の機器情報がホームネットワークを介して第３の機器へ通知され、第１の機器及び第２の機器のいずれか他方の機器と電子キー１８との間で狭域無線通信を行うことにより、一方の機器の機器情報がホームネットワークを介して第３の機器から他方の機器へ通知されるようにしてもよい。
【０１２４】
また、第１の機器及び第２の機器の各機器と電子キー１８との間で狭域無線通信を行うことにより、各機器の機器情報が第３の機器へ通知され、その後、第１の機器及び第２の機器のいずれか一方の機器の機器情報がいずれか他方の機器へ通知されるようにしてもよい。この場合、第３の機器において、第１の機器及び第２の機器の組み合わせが適当か否かを判定し、その判定結果に応じて一方の機器の機器情報を他方の機器へ通知してもよい。なお、第３の機器としては、ホームネットワーク上の各種機器の機器情報を管理するサーバー、例えば建物用コントローラ３５が考えられる。
【０１２５】
・上記実施形態では、第１の機器において、機器情報を電子キー１８へ送信した後も、第２の機器の通信要求を待つことなく他の処理を実行するようにした。具体的には、図７に示すステップＳ４５において、通信要求を受信できなかった場合には、すぐにステップＳ５４の処理に進むようにした。これにより、第１の機器と第２の機器との機器間通信を継続することができる。
【０１２６】
しかしながら、第１の機器において第２の機器の通信要求を待つことなく他の処理を実行すると、第１の機器と第２の機器との間の通信確立に影響が及ぶことが考えられる。具体的には、第２の機器において、通信要求を第１の機器へ送信してから所定時間（例えば１分）経過するまでの期間内に第１の機器による通信応答を受信することができず、エラー処理が実行されてしまうことが考えられる（図７のステップＳ４７，Ｓ５２参照）。
【０１２７】
そこで、この問題を回避すべく、第１の機器において、機器情報を電子キー１８へ送信した後に、その内部状態が第２の機器の通信要求を受信する待機状態へ遷移するようにしてもよい。具体的には、図７に示すステップＳ４５において、第２の機器の通信要求が受信されるまで、第１の機器による次の処理を待つようにしてもよい。これにより、第１の機器において、第２の機器の通信要求を確実に受信し、受信した通信要求に応じて通信応答を第２の機器へ送信することができる。この場合、上記待機状態が「通信受付状態」に相当する。
【０１２８】
・上記実施形態では、建物用コントローラ３５と車両４１のＥＣＵ４２との通信における通信取決のうち車両走行情報のダウンロード先、すなわち情報の格納場所を、電子キー１８のＩＤに基づいて可変設定した。しかしながら、他の機器間の通信取決を電子キー１８のＩＤに基づいて可変設定してもよいし、情報の格納場所以外の通信取決を電子キー１８のＩＤに基づいて可変設定してもよい。
【図面の簡単な説明】
【０１２９】
【図１】建物の概略構成を示す図。
【図２】ホームネットワークの構成を示す図。
【図３】電子キーシステムによる通信設定処理を示す図。
【図４】電子キーの内部状態を示す状態遷移図。
【図５】電子キーシステムの通信処理の流れを示すフローチャート。
【図６】同フローチャート。
【図７】同フローチャート。
【符号の説明】
【０１３０】
１０…建物、１５…エアコン（第１の機器）、１６…パソコン（第１の機器）、１８…電子キー（移動体通信機）、２１〜２３…施解錠装置（第１の機器）、３１…施解錠管理モニタ（第２の機器）、３２…待機電力管理モニタ（第２の機器）、３３…風呂設備管理モニタ（第２の機器）、３５…建物用コントローラ（第２の機器）、４２…ＥＣＵ（第１の機器）。
【図１】
2009218896.tif 000003
【図２】
2009218896.tif 000004
【図３】
2009218896.tif 000005
【図４】
2009218896.tif 000006
【図５】
2009218896.tif 000007
【図６】
2009218896.tif 000008
【図７】
2009218896.tif 000009